(57)【要約】【目的】  電気駆動玩具銃の弾丸装填に際して弾丸加速の機能を兼備する弾込め装置。【構成】  電気駆動玩具銃を構成する外筒の底部に短冊状の薄板バネで形成した制御作用バネを一端で定着し、他端に尾翼状の制御突起を形成し、発射作動と共に内筒がこの制御突起を押して、外筒の先端で、プラスチック弾を銃身に押し込み、完全な装填を行った後、スプリングの反発力で、力を矯めながら、制御突起から内筒を逸脱させて、外筒とのポンプ作用を行ってプラスチック弾を噴射する。もう一つは、銃の本体に固着した上下行ガイドを、制御作用バネの適宜な位置に設定された上下制御摺動器と係合、摺動させ、発射寸前には、制御突起が外筒の底部から内筒に嵌入して、内筒が制御突起を押し易くして、発射と共に上下制御摺動器が外筒の底から離れて、同時に制御突起は内筒から逸脱するように、滑動し、前と同じに弾丸の装填を終えて、制御突起が内筒をスプリングの反発力に対して支えられなくなると、力を矯めながら、内筒は逸脱し、外筒とポンプ作用を行って、プラスチック弾を発射する。【特許請求の範囲】
【請求項１】
引き金を引くと、電池で作動するモーターによって駆動される歯車メカ機構が、ラックを介して、スライドボックス、更にスライドボッジと内筒ボッジとの係合により、外筒に嵌入する内筒に装填されるスプリングを圧縮して、スプリング最大変位点で、歯車メカ機構からラックが解放されて、総ての機構が復帰し、内筒と外筒も、スプリングの反発力でポンプ作用を行いながら元に戻り、外筒の空気噴出口から空気を噴出して、プラスチック弾を噴射する電気駆動玩具銃に於いて、外筒の底面中心軸上に軸方向と平行に、短冊型の薄板バネで構成された制御作用バネを、外筒の前部で適宜な位置に定着し、後部端は、尾翼状に制御突起を、軟構造体を外形に合わせて充填して、傾斜壁と直立壁を形成し、発射作動が始まると、内筒が外筒と共に動き、外筒の最後尾が構造基体にぶつかると、同時に、制御作用バネの制御突起が外筒制御切欠溝に嵌入し、一方外筒の空気噴出口が移動して、送弾筺体の弾丸逸出口をプラスチック弾が逸出出来るように十分に開き、プラスチック弾が飛び出して、逸出口蓋に止まって、銃身口に押し込まれるのを待ち、内筒は尚も移動を続け、内筒後端格子が制御突起の傾斜壁を圧し潰すように乗り越え、直立壁を越えると、制御作用バネの力で、制御突起が、外筒制御切欠溝と重なって位置する内筒制御穿孔の双方を貫いて制御突起を嵌合させ、若干の動きの後に、電気駆動玩具銃のスプリングの最大変位点でのスプリングの反発力による復帰運動と共に、内筒も元に戻り、内筒の内筒制御穿孔の内筒後端格子が、制御突起の直立壁にぶつかり、直立した構造の為、前に進めず、直立壁により内筒が外筒を押すことになり、外筒の空気噴出口の先端が、既に逸出口蓋に止まって待機している、プラスチック弾を銃身口の中に押し込むと、外筒の空気噴出口の先端が銃身口に当たって、内筒が進めなくなると、内筒は強力なスプリングの反発力を矯めるようにして堪え、ついに耐え切れず、制御突起の直立壁を越えて、スプリングの力を限度一杯に溜め込んで、そのまま、凄まじい勢いで、空気噴出口から空気を噴射して、プラスチック弾を発射する電気駆動玩具銃の弾丸加速を伴う弾込め装置。
【請求項２】
外筒底部中心軸上に、短冊状バネ板で構成した制御作用バネを前端部の適な位置で定着し、後端部には、形状に合わせて軟構造体を充填して、直立壁と傾斜壁を形成させた制御突起を設け、上下制御摺動器と上下行ガイドを摺動させて、発射作動前には、制御突起の先端を外筒のほぼ底面の位置に保持し、スプリングが解放されて、反発力で復帰する寸前には、制御突起を底面に接して位置するように、適宜な関係位置を持たせるように設定し、上下御摺動器を摺動ピンで、適宜な関係位置で銃自体の構造基体に固定されている上下行ガイドと係合、摺動させて、銃の静止時には、上下制御摺動器を外筒底面から、制御突起とほぼ同じ高さに保持し、発射作動が始まると、外筒と内筒が一緒に動き出し、外筒の後端部が構造基体にぶつかると、制御突起とほぼ等しい高さにあった、上下制御摺動器が、上下行ガイドを摺動して移動することにより、外筒と接して、制御突起を、外筒の後端下部に設けた外筒制御切欠溝に嵌入させるように、上下行ガイドに傾斜を付して、外筒が止まっても、内筒は移動を続け、制御突起の傾斜壁を圧し潰すようにして進み、直立壁を越えると、制御突起は制御作用バネの力で、外筒制御切欠溝と重なった内筒制御穿孔の両方を貫いて嵌合し、瞬時に、スプリングの復帰による反発力で、内筒も外筒も復帰を始め、内筒後端格子は全面にある直立壁を越えられず、これを押して進み、外筒の空気噴出口の先端が銃身口に突き当たってプラスチック弾を押し込むと止まり、これにより外筒の制御作用バネに設けられた上下制御摺動器は、摺動ピンで上下行ガイドに沿って移動しながら、再び制御突起の高さに移ろうとして、内筒後端格子に掛かるスプリングの力に抗して、制御突起を内筒後端格子から脱れる方向に競り動かし、出来るだけ力を矯めて、直立壁の制御力が効かなくなると、内筒は瞬時にしてスプリングの反発力で、元に戻り、外筒とポンプ作用を行って、空気噴出口から物凄い勢いで空気を噴出してプラスチック弾を目を瞠る程の早さで噴射する請求項１に記載した電気駆動玩具銃の弾丸加速を伴う弾込め装置。
【発明の詳細な説明】
【産業上の利用分野】
【０００１】  プラスチック弾を発射して楽しむ電気駆動玩具銃の加速を伴う弾込め装置に係わるものである。
【背景技術】
【０００２】  従来は弾倉に充填されたプラスチック弾をスプリングで押して、弾丸を押押圧している蓋を、発射作動と同期させながら、脱したり、冠せたりして、装填作用を行っていたもので、弾丸加速などには、考えは遠く及ばず、ただ弾丸を銃身に詰め込む事ばかりであり、その仕組みとしては、外筒の空気噴出口を発射作動と共に弾倉の出口で前後させるものがあり、或は、弾倉の入り口を、銃を駆動する歯車と、スプリングを介して連携させ、発射作動と同期を取り、歯車とスプリングでで引っ張ったり戻したりして、弾倉の口を開閉して装填する方法などがあったが、前者は装置が大きくなり、小形拳銃にはとても使用出来ず、電気駆動玩具銃の小型化には大きな障害となり、後者は装置が単純、不備で完全な装填作用を行えない事もあり、勿論、両者共弾丸加速については、全く考慮のかけらすらもなかった。
【発明が解決すべき課題】
【０００３】  前述のような欠点のほかに、本発明電気駆動玩具銃の加速を伴う弾込め装置に採用しようとしている外筒の空気噴出口を発射作動と共に弾倉の出口で前後させる方法は、重大な欠陥があり、それを説明すると、発射作動が始まり、内筒、外筒が共に動き始め、外筒の後端部が銃自体の後端壁にぶつかって止まり、同時に外筒の空気噴出口が後退して弾倉の入り口を開いて、プラスチック弾が銃身口に飛び出して止まり、内筒のみが更に進んで、スプリングが最大変位点に到達して、反転すると、反発力で内筒は外筒と共に復帰するが、外筒は空気噴出口の先端が、プラスチック弾が弾倉の圧縮スプリングで押されている力に負けて、プラスチック弾銃身口に押し込めず、そのまま止まって、内筒のみが前進し、空気噴出口の先端とプラスチック弾との隙間から空気が漏れて、ポンプ作用は行えずに、内筒が嵌入している外筒の先端内壁まで到達すると、内筒が外筒を押して、最終点まで戻り、発射作動を終えるが、プラスチック弾は銃口からポロリ落ちるだけで、全然飛ばず、全く電気駆動玩具銃の用をなさない。
このため、このような欠点を改良して、使用しようとしている本発明電気駆動玩具銃の加速を伴う弾込め装置では、これを解決する事が問題であり、内筒、外筒の連携作動を支障なく行わせ、プラスチック弾の装填作用を完全なものとして、しかも弾丸加速と言う新しい効能も加味して、目を瞠るような弾丸速度でプラスチック弾を噴射せねばならない。
【課題を解決するための手段】
【０００４】  外筒の円筒底部中心軸上の先端部に、適宜な位置で定着させた短冊型の平板ばねで構成した制御作用バネを、適宜な位置に摺動ピンを持った上下制御摺動器を設造して、後端部には、軟構造体を形状に合わせて充填して、直立壁と傾斜壁を形成した制御突起を設ける。静止時には、上下制御摺動器を外筒底面と制御突起とほぼ同じ高さに保持させ、発射作動を始めて、内筒と共に外筒が動き出すと、上下制御摺動器を摺動ピンと摺動させながら、外筒底面に近付かせ、外筒が後端部で構造基体にぶつかると、制御突起が、外筒の外筒制御切欠溝に嵌入するように、斜面を形成した上下行ガイドを、上下制御摺動器との摺動に最適の位置になるよう銃自体の構造基体に定着する。外筒の後端部で銃自体の後端壁に突き当たって止まっても、そのまま移動を続ける内筒に、制御突起の傾斜壁を押さえ込むようにして進ませ、直立壁を越えると、制御作用バネの力で、後退して来た内筒制御穿孔と重なった外筒制御切欠溝との双方を貫いて、制御突起を嵌合させ、一瞬の後、解放されたスプリングの反発力で内筒は外筒と共に復帰を始め、内筒の内筒後端格子が制御突起の直立壁を押し、内筒が外筒を押すようになり、内外筒が一緒に動いて、外筒が空気噴出口の先端で、既に逸出口蓋で押さえられているプラスチック弾を銃身口に押し込み、内筒は、先に進めなくなった外筒のため、制御突起の直立壁も動かなくなり、同時に外筒の移動により、上下制御摺動器も摺動ピンで上下行ガイドと摺動してまた元の制御突起の高さに戻ろうとして、制御突起自身も、内筒後端格子から脱れるように移動し、制御突起の止め代も少なくなって、力を矯めながら、内筒後端格子のスプリングによる圧力に抗し切れず、制御突起が内筒後端格子の拘止から解放されて、内筒は勢い良く飛び出して、外筒とポンプ作用を行いながら、空気噴出口から、凄まじい勢いでプラスチック弾を噴射させる。
【作用】
【０００５】プラスチック弾を噴射する電気駆動玩具銃が、外筒の底面中心軸上に軸方向と平行に、短冊型の薄板バネで構成された制御作用バネを、外筒の前部で適宜な位置に定着し、後部端は、制御突起を、尾翼状に軟構造体を形状に合わせて充填した傾斜壁と直立壁によって形成し、発射作動が始まると、内筒が、ポンプ作用の圧縮圧により外筒と共に動き、約８ｍｍの移動の後、外筒の最後尾が構造基体にぶつかると、同時に、制御作用バネの制御突起が外筒制御切欠溝に嵌入し、一方外筒の空気噴出口が移動して、送弾筺体の弾丸逸出口をプラスチック弾が容易に逸出出来るように開き、プラスチック弾が飛び出して、逸出口蓋に止まって、弾丸装填作動を待ち、内筒は尚も移動を続け、内筒後端格子が制御突起の傾斜壁を圧し潰すように乗り越え、直立壁を越えると、制御作用バネの力で、制御突起が、外筒制御切欠溝と重なって位置する内筒制御穿孔の双方を貫いて制御突起を嵌合させ、一瞬の動きの後に、電気駆動玩具銃のスプリングの最大変位点でのスプリングの反発力による復帰運動と共に、内筒も復帰運動を始め、内筒の内筒制御穿孔の内筒後端格子が、制御突起の直立壁にぶつかり、直立した構造の為、前に進めず、直立壁により、外筒が内筒を押すことになり、この作動により、外筒の空気噴出口の先端が、既に逸出口蓋に止められて、発射作動に対して待機している、プラスチック弾を銃身口に押し込むと、噴射パッキンを押圧して止まるようになり、内筒が進めなくなると、内筒は強力なスプリングの反発力を矯めるようにして堪え、ついに耐え切れず、制御突起の直立壁を越えて、スプリングの力を限度一杯に溜め込んで、そのまま、凄まじい勢いで、空気噴出口から空気を噴射して、
【実施例】
【０００６】  本発明電気駆動玩具銃の弾丸加速を伴う弾込め装置に付いて、図面に従って詳細に説明する。図１に示すように、引き金（１）を引くと、電池で作動するモーター（２）によって駆動される歯車メカ機構（３）が、ラック（４）を介して、スライドボックス（２８）、更にスライドボッジ（２６）と内筒ボッジ（１５）との連係により、外筒（１０）に嵌入する内筒（９）に装填されるスプリング（１４）を圧縮して、スプリング（１４）の最大変位点で、歯車メカ機構（３）の最後を構成する半円欠歯の駆動歯車（８）の最終歯からラック（４）が解放されて、総ての機構が復帰し、内筒（９）と外筒（１０）も、スプリング（１４）の反発力で外筒（１０）の空気噴出口（２７）から空気を噴出して、プラスチック弾（６）を噴射する電気駆動玩具銃が、引き金（１）を引いて発射作動を始めると、まづ、内筒ボッジ（１５）スライドボッジ（２６）の係合により、歯車メ力機構（３）からラック（４）、スライドボックス（２８）を経て、伝達されるモーター（２）の駆動力を内筒（９）に伝えて、内筒（９）と外筒（１０）が、ポンプ作用による圧縮力のため同時に動き出し、外筒（１０）の最後尾が、構造基体（２４）に達すると、外筒（１０）の空気噴出口（２７）が後退して、送弾筺体（７）の弾丸逸出口（８）をプラスチック弾（６）が逸脱するのに、十分なだけ開くことにより、プラスチック弾（６）は飛び出して、逸出口蓋（１３）に止められ、発射されるまでその状態を保ち、内筒（９）はそのまま移動を続け、尾翼状の形状に合わせて軟構造体（２９）を充填して傾斜壁（２０）と直立壁（２３）を形成して、制御作用バネ（１１）の端部に設定されて、外筒制御切欠構（１２）に嵌入している制御突起（２１）の傾斜壁（２０）を圧し下げるようにして進み、直立壁（２３）に至るや否や、半円欠歯の最終駆動歯車（１６）からのラック（４）の解放による、スプリング（１４）の反転により、内筒（９）は外筒（１０）と共に復帰作動を始め、前にたちはだかる直立壁（２３）により、内筒（９）の内筒後端格子（１７）が直立壁（２３）を越えられず、押して進むことにより、内筒（９）が外筒（１０）を押し戻す形となり、外筒（１０）の空気噴出口（２７）の先端が銃身口（５）の噴射パッキン（１８）に突き当たって圧着すると共に、プラスチック弾（６）は、銃身口（５）に押し込まれ、同時に、前に進めなくなった内筒（９）の内筒後端格子（１７）は強大なスプリング（１４）の反発力に堪えるようにして、力を十分に矯めて、ついに堪え切れなくなった内筒後端格子（１７）が、形状に合わせて軟構造体（２９）を充填して尾翼状を形成した制御突起（２１）の直立壁（２３）を競り上るようにして乗り越え、瞬時にして内筒（９）は復帰しながら、外筒（１０）とポンプ作用を行って、強大なスプリング（１４）の、矯める事により蓄えられた反発力を、ポンプ作用に総てを移し変えて、凄まじい程の勢いで、銃身先端からプラスチック弾（６）を噴射する。
更に工夫を加えたもう一つの方法は、構造基体（２４）の適宜な位置に、制御作用バネ（１１）に設定した上下制御摺動器（１９）の摺動ピン（２９）を係合、摺動させて、発射作動前の静止時には、外筒（１０）の底面から離れて制御御突起（２１）とほぼ同じ高さに保持するように、外筒（１０）の発射作動のための構造基体（２４）への移動と共に、底面に近付けて、制御突起（２１）を外筒制御切欠溝（１２）に嵌入させるような斜面を形成するように、上下行ガイド（２２）を適宜な位置に定着させて構成されており、今引き金（１）を引いて、発射作動が始まると、外筒（１０）と内筒（９）がポンプ作用の圧縮力で共に動き出し、上下制御摺動器（１９）も上下行ガイド（２２）の斜面に沿って摺動ピン（２９）で摺動しながら、内筒（９）の底面に向かって動き出し、外筒（１０）の後端部が構造基体（２４）に突き当たると、外筒（１０）は動きを止め、これにより、外筒（１０）の空気噴出口（２７）は十分に開き、プラスチック弾（６）は、容易に送弾筺体（７）の弾丸逸出口（９）から飛び出して、逸出口蓋（１３）に押さえられて止まり、プラスチック弾（６）はその姿勢で待つこととなり、一方内筒（９）は引き続き移動を続けて、外筒制御切欠溝（１２）に既に嵌入している制御突起（２１）の傾斜壁（２０）を圧し下げるようにして前進し、直立壁（２３）に至ると、制御作用バネ（１１）のバネの力で直立壁（２３）は復帰し、内筒（９）の内筒制御穿孔（２５）と外筒制御切欠溝（１２）の双方を貫いて、直立壁（２３）が立ち上がり、その途端、発射作動の途中でスプリング（１４）は最大変位点で反転し、反発力で内筒（９）は復帰作動に入り、直立壁（２３）は、内筒制御穿孔（２５）の内筒後端格子（１７）に押されて移動を始め、内筒（９）が外筒（１０）を押す形となり、外筒（１０）はそのまま空気噴出口（２７）の先端で、既に待っているプラスチック弾（６）を銃身口（５）に押し込み、空気噴出口（２７）の先端は噴射パッキン（１８）に圧着された状態となり、内筒（９）の内筒後端格子（１７）は、上下制御摺動器（１９）が上下行ガイド（２２）の斜面により、制御突起（２１）の高さに戻ろうとして、直立壁（２３）を競り上がるようにして登り、支え代が少なくなることにより、スプリング（２２）の反発力に堪えられず、矯めた力をポンプ作用に変えて、内筒（９）と外筒（１０）は、外筒（１０）登り空気噴出口（２７）から、物凄い勢いで空気を噴出して、プラスチック弾（６）を今までに考えられない速度で噴射する。かくして本発明電気駆動玩具銃の弾丸加速を伴う弾込め装置は、いずれの方法も、プラスチック弾（６）を発射作動の段階で、新しい装置により、巧みに発射機構との関係位置を形成し、効率の良い操作で、驚くほどの速度で弾丸発射を行っている。
【発明の効果】
【０００７】  今まで縷々述べ来ったように、本発明電気駆動玩具銃の弾丸加速を伴う弾込め装置は、従来に無かった観点から、簡便な装置で実効の優れた能率の良い弾込め装置を発明したものであり、従来の簡便な弾込め装置では、内筒の駆動によるポンプ圧では、弾倉からの逸脱スプリングで押されて、銃身口の前に位置しているプラスチック弾を銃身に押し込んで装填することが出来ず、進めなくなった外筒を残して、内筒のみが前進し、空気は外筒の先端の空気噴出口とプラスチック弾の隙間から流出してしまい、内筒と外筒とのポンプ作用は行われず、プラスチック弾は銃口からこぼれ落ちるだけとなり、全く玩具銃としての用をなさず、使いものにならなかったのであるが、本発明電気駆動玩具銃の弾丸加速を伴う弾込め装置によりこの欠陥が完全に無くなり、簡便で、安価に弾丸発射で完全な機能を果たす電気駆動玩具銃が実現したものであり、弾丸加速を行えるという画期的な機能は外筒のスプリングの反発力を十分に矯める事によって、満月に絞った弓の効果を与え、その結果、スプリングの力を、無駄なく、総てを内筒と外筒のポンプ作用に伝達し、ひいては、これがモーターの駆動力を余すとろ無く使う結果となり、電池の無駄な消費を無くし、電気駆動玩具銃の小型化を実現出来る一つの要素となったものであり、内筒の内筒後端格子と外筒に定着した制御作用バネの制御突起との解放度合いを決める高さによる絶妙な組み合わせが、内筒と外筒との相互扶助作用を作り出し、本発明弾丸加速を伴う弾込め装置の主要な効果を生み出しており、更に上下制御摺動器と上下行ガイドとの併設は、制御突起の解放度合いを、上下制御摺動器と上下行ガイドとの係合摺動に関して、上下行ガイドの斜面の形成を考えることにより、新しく作り出せ、例えば、制御突起の高さに保持されている上下制御摺動器を、最初は外筒の平面に平行に移動させるようにし、外筒の空気噴出口が弾込め作動を終える時点で、急速に落下させるように斜面を形成させれば、制御突起を損傷させるような余り大きく無駄な抵抗も無く、適度の矯めと切れ目の無い円滑なポンプ作用によって、より強力なプラスチック弾噴射を行い得るのである。かくして、本発明電気駆動玩具銃の弾丸加速を伴う弾込め装置は、小形拳銃並の大きさの玩具銃の電動化に成功する為の一助ともなり、フロンガスの使用を減らす働きもして、環境汚染防止のいくばくかの助けともなっており、電気駆動玩具銃の弾丸加速による操作、遊戯の興味を一段と倍加しているものであり、その全く新しい見地からの新奇性と共に、様々な効果を生む実効性は誠に驚くべきものがあり、その発明価値を証明するものでもある。
【図面の簡単な説明】
【図１】は本発明電気駆動玩具銃の弾丸加速を伴う弾込め装置を付設した電気駆動玩具銃の片側を解放した内部の機構を示し、送弾筺体の一部破談図を含む平面図である。
【図２】は内筒及び外筒と、本発明電気駆動玩具銃の弾丸加速を伴う弾込め装置との関連を示し、平面図であある。。
【図３】は同じくその部分断面図を含む背面図である。
【図４】は同じくその請求項１に基づく本発明電気駆動玩具銃の弾丸加速を伴う弾込め装置を付設したときのスプリングが最大変位点で反転して、内筒の内筒後端格子がが外筒の制御突起を押して、外筒の空気噴出口の先端が銃身口の噴射パッキンに到達したときの一部破断図を含む内筒及び外筒の関係位置を示す平面図である。
【図５】は同じくその内筒がスプリングを最大変位点まで圧縮して、将に反転する寸前の一部破断図を含む内筒及び外筒の関係位置を示す平面図である。
【図６】は同じくその請求項２に基づく内筒がスプリングを最大変位点まで圧縮して、将に反転する寸前の一部破断図を含む内筒及び外筒の関係位置を示す平面図である。
【図７】は同じくその発射作動前及び後の静止時における一部破断図を含む内筒及び外筒の関係位置を示す平面図である。
【符号の説明】
１−−−引き金              １５−−−内筒ボッジ
２−−−モーター            １６−−−最終駆動歯車
３−−−歯車メカ機構        １７−−−内筒後端格子（
４−−−ラック              １８−−−噴射パッキン
５−−−銃身口              １９−−−上下制御摺動器
６−−−プラスチック弾      ２０−−−傾斜壁
７−−−送弾筺体            ２１−−−制御突起
８−−−弾丸逸出口          ２２−−−上下行ガイド
９−−−内筒                ２３−−−直立壁
１０−−−外筒                ２４−−−摺動ピン
１１−−−制御作用バネ        ２５−−−内筒制御穿孔
１２−−−外筒制御切欠溝      ２６−−−スライドボッジ
１３−−−逸出口蓋            ２７−−−空気噴出口
１４−−−スプリング          ２８−−−スライドボックス
２９−−−軟構造体
【図１】
2005180896.tif 000002
【図２】
2005180896.tif 000003
【図３】
2005180896.tif 000004
【図４】
2005180896.tif 000005
【図５】
2005180896.tif 000006
【図６】
2005180896.tif 000007
【図７】
2005180896.tif 000008